(57)【特許請求の範囲】
【請求項１】
原稿から画像データを読み取って画像ファイルに記録し，前記画像ファイルを入力して，前記画像ファイルに記録された画像データを出力して前記原稿の複製物を生成する際に，偽造が禁止された原稿の偽造を防止するための偽造防止方法において，
前記原稿の種類を入力する第１の工程と，
前記第１の工程で前記原稿の種類の入力がない場合に，前記原稿の種類を判定する第２の工程と，
前記原稿から画像データを読み取る第３の工程と，
前記原稿の種類と前記画像データとを前記画像ファイルに記録する第４の工程と，
前記画像ファイルを入力し，前記画像ファイルに記録された前記原稿の種類に基づいて，予め設定された原稿の種類に応じた複数の画像データの出力方法から所定の出力方法を選択する第５の工程と，
前記第５の工程で選択された出力方法に基づいて，前記画像データの出力処理を実行する第６の工程と，を含むことを特徴とする偽造防止方法。
【請求項２】
前記第４の工程が，前記原稿の種類と前記画像データとを前記画像ファイルに記録する際に，前記画像ファイルを構成する共通ヘッダの予め定めたフィールドに前記原稿の種類を記録することを特徴とする請求項１記載の偽造防止方法。
【請求項３】
前記第４の工程で前記画像ファイルに記録される原稿の種類が，一般原稿，紙幣，有価証券，機密文書または著作物であることを特徴とする請求項１または２に記載の偽造防止方法。
【請求項４】
前記第５の工程で選択される画像データの出力方法が，出力の禁止，色相の変更，濃度の変更，色再現範囲の限定，解像度の低下，モザイク処理または所定のマークの付加であることを特徴とする請求項１記載の偽造防止方法。
【請求項５】
前記請求項１〜４のいずれか一つに記載された方法をコンピュータに実行させるプログラムを格納したコンピュータが読取可能な記憶媒体。
【請求項６】
偽造が禁止された原稿の偽造を防止する，画像読取装置及び画像出力装置で構成された偽造防止システムにおいて，
前記画像読取装置は，
前記原稿の種類を入力する操作手段と，
前記操作手段により前記原稿の種類の入力がない場合に，前記原稿の種類を判定する判定手段と，
前記原稿から画像データを読み取る画像読取手段と，
前記判定手段で判定された前記原稿の種類と，前記画像読取手段で読み取られた前記画像データとを前記画像ファイルに記録する記録手段と，を備え，
前記画像出力装置は，
前記画像ファイルを入力する入力手段と，
前記入力手段により入力された前記画像ファイルに記録された前記原稿の種類に基づいて，予め設定された原稿の種類に応じた複数の画像データの出力方法から所定の出力方法を選択し，選択された出力方法に基づいて，前記画像データの出力処理を実行する出力手段と，を備えたこと，
を特徴とする偽造防止システム。
【発明の詳細な説明】
【０００１】
【発明の属する技術分野】
本発明は，紙幣や，有価証券，著作物等の偽造防止方法，その方法をコンピュータに実行させるプログラムを格納したコンピュータが読取可能な記憶媒体及び偽造防止システムに関し，より詳細には，原稿から画像データを読み取って画像ファイルに記録し，前記画像ファイルを入力して，前記画像ファイルに記録された画像データを出力して前記原稿の複製物を生成する際に，偽造が禁止された原稿の偽造を防止するための偽造防止方法，その方法をコンピュータに実行させるプログラムを格納したコンピュータが読取可能な記憶媒体及び偽造防止システムに関する。
【０００２】
【従来の技術】
近年，画像処理技術・画像形成技術の向上によって，カラー複写機で複写したコピー紙幣と実際の紙幣とが容易に区別できないほど精巧に画像形成を行うことが可能になっている。このため，紙幣・有価証券等の複製が禁止されている特殊原稿を判定し，特殊原稿の場合に違法複写を禁止するようにした装置が開発されており，特殊原稿を判定する機能を搭載した複写機等の画像形成装置も提案されている。
【０００３】
上記特殊原稿として，それ自身が特殊原稿であることを示すために金属繊維がすき込まれたものがある。このような特殊原稿を通常の原稿から判別するには，特殊原稿中にすき込まれた金属繊維を検出すれば良い。そのため，金属繊維がすき込まれた特殊原稿を判定する機能を有した画像形成装置として，例えば原稿に対してマイクロ波を照射し，照射したマイクロ波の透過波または反射波を検出して，検出信号を出力するマイクロ波センサ等の検出センサと，検出センサから出力された検出信号を入力し，この検出信号を用いて，原稿中に金属繊維がすき込まれているか否かを判定する信号判定部と，を備えたものが提案されている。
【０００４】
上記画像形成装置においてマイクロ波センサは，一般に，撮像用のＣＣＤ等を備える画像読取ユニットに設けられ，原稿台に載置された原稿上を画像読取ユニットと共に往復運動し，その往路にて金属繊維を検出するためのマイクロ波の照射および反射波の検出を行う。そして，信号判定部が，マイクロ波センサから出力された反射波の検出信号を入力し，入力した検出信号のレベルと予め設定された閾値とを比較し，検出信号のレベルが閾値を超える場合は原稿中に金属繊維がすき込まれていると判定し，一方，検出信号のレベルが閾値を超えない場合は原稿中に金属繊維がすき込まれていないと判定する。その結果，原稿中に金属繊維がすき込まれていると判定された場合には，原稿が金属繊維のすき込まれた紙幣，有価証券等の特殊原稿であると判定される。
【０００５】
そして，原稿が特殊原稿であると判定された場合には，原稿からの画像の読み取りを中止したり，読み取った画像に特殊な画像処理を施す等の処理を行って，画像を所定の記録紙に記録する。
【０００６】
【発明が解決しようとする課題】
しかしながら，上記従来の技術においては，金属繊維がすき込まれた紙幣・有価証券等の特殊原稿の偽造については有効に防止することができるが，例えば著作物を無断で複製する等の行為を有効に防止することはできないという問題があった。
【０００７】
また，上述した従来の技術のように，画像の読み取りと画像の出力とを同時に行うことができる複写機等の画像形成装置においては，紙幣・有価証券等の特殊原稿の偽造を防止することができるが，画像データが記録された画像ファイルを交換することにより，画像の読み取りと画像の出力とを別々の装置で行う場合や，画像の読み取りと画像の出力とを同時に行わない場合においては，特殊原稿の偽造を有効に防止する手段は未だ確立されていなかった。すなわち，従来においては，一般的なスキャナで紙幣等の特殊原稿の画像データを読み取り，読み取った画像データをプリンタで出力することによって実行される偽造を有効に防止するための方法が確立されていなかった。
【０００８】
さらに，著作物等をディジタルデータで配布した場合に，この著作物を無断で印刷して配布するという行為を有効に防止する手段も未だ確立されていなかった。
【０００９】
本発明は上記に鑑みてなされたものであって，紙幣や有価証券，著作物等の偽造が禁止された原稿の偽造を有効に防止することを目的とする。
【００１０】
【課題を解決するための手段】
上記目的を達成するため，請求項１の偽造防止方法は，原稿から画像データを読み取って画像ファイルに記録し，前記画像ファイルを入力して，前記画像ファイルに記録された画像データを出力して前記原稿の複製物を生成する際に，偽造が禁止された原稿の偽造を防止するための偽造防止方法において，前記原稿の種類を入力する第１の工程と，前記第１の工程で前記原稿の種類の入力がない場合に，前記原稿の種類を判定する第２の工程と，前記原稿から画像データを読み取る第３の工程と，前記原稿の種類と前記画像データとを前記画像ファイルに記録する第４の工程と，前記画像ファイルを入力し，前記画像ファイルに記録された前記原稿の種類に基づいて，予め設定された原稿の種類に応じた複数の画像データの出力方法から所定の出力方法を選択する第５の工程と，前記第５の工程で選択された出力方法に基づいて，前記画像データの出力処理を実行する第６の工程と，を含むものである。
【００１１】
また，請求項２の偽造防止方法は，請求項１記載の偽造防止方法において，前記第４の工程が，前記原稿の種類と前記画像データとを前記画像ファイルに記録する際に，前記画像ファイルを構成する共通ヘッダの予め定めたフィールドに前記原稿の種類を記録するものである。
【００１２】
また，請求項３の偽造防止方法は，請求項１または２に記載の偽造防止方法において，前記第４の工程で前記画像ファイルに記録される原稿の種類が，一般原稿，紙幣，有価証券，機密文書または著作物であるものである。
【００１３】
また，請求項４の偽造防止方法は，請求項１記載の偽造防止方法において，前記第５の工程で選択される画像データの出力方法が，出力の禁止，色相の変更，濃度の変更，色再現範囲の限定，解像度の低下，モザイク処理または所定のマークの付加であるものである。
【００１４】
また，請求項５のコンピュータが読取可能な記憶媒体は，前記請求項１〜４のいずれか一つに記載された方法をコンピュータに実行させるプログラムを格納したものである。
【００１５】
さらに，請求項６の偽造防止システムは，偽造が禁止された原稿の偽造を防止する，画像読取装置及び画像出力装置で構成された偽造防止システムにおいて，前記画像読取装置は，前記原稿の種類を入力する操作手段と，前記操作手段により前記原稿の種類の入力がない場合に，前記原稿の種類を判定する判定手段と，前記原稿から画像データを読み取る画像読取手段と，前記判定手段で判定された前記原稿の種類と，前記画像読取手段で読み取られた前記画像データとを前記画像ファイルに記録する記録手段と，を備え，前記画像出力装置は，前記画像ファイルを入力する入力手段と，前記入力手段により入力された前記画像ファイルに記録された前記原稿の種類に基づいて，予め設定された原稿の種類に応じた複数の画像データの出力方法から所定の出力方法を選択し，選択された出力方法に基づいて，前記画像データの出力処理を実行する出力手段と，を備えたものである。
【００１６】
【発明の実施の形態】
以下，本発明に係る偽造防止方法，その方法をコンピュータに実行させるプログラムを格納したコンピュータが読取可能な記憶媒体及び偽造防止システムの一実施の形態について，図面を参照して詳細に説明する。
【００１７】
図１は，本実施の形態の画像読取装置のブロック構成図である。図１に示す画像読取装置は，各種モードおよび原稿の種類の入力並びにメッセージの表示等を行うための操作ユニット２７１と，原稿が一般原稿かまたは偽造が禁止された紙幣・有価証券等の特殊原稿であるかを判定すると共に，特殊原稿の種類を判定する特殊原稿判定部２７２と，原稿から画像データを読み取る画像読取部２７３と，画像読取部２７３で読み取った画像データと原稿の種類とを画像ファイル２７６に記録する画像記録部２７４と，上記各部を制御する制御部２７５と，を有している。なお，図１に示す画像読取装置は，例えばスキャナや複写機等を構成する。
【００１８】
操作ユニット２７１は，画像読取装置によって読み取られる原稿の種類を入力可能に構成されている。ユーザは，原稿から画像データの読み取りを行う際に，この操作ユニット２７１から例えば紙幣，有価証券，チケット，機密文書，著作物等の原稿の種類を入力する。
【００１９】
特殊原稿判定部２７２は，操作ユニット２７１から原稿の種類が入力されなかった場合に，原稿にマイクロ波を照射して走査し，照射したマイクロ波の反射波を検出し，検出した反射波のレベルに基づいて，原稿が金属繊維のすき込まれた紙幣・有価証券等の特殊原稿であるか否かを判定すると共に，金属繊維が原稿中にいかなる形態ですき込まれているかを検知し，例えば紙幣の種類等，特殊原稿の種類を判定するものである。この特殊原稿判定部２７２は，例えば，マイクロ波を原稿に照射して走査し，その反射波を検出して反射波の検出信号を出力するマイクロ波センサ（図示せず）と，マイクロ波センサから出力された検出信号を用いて，原稿が特殊原稿であるか否かを判定すると共に，原稿が特殊原稿である場合にその種類を判定する判定部（図示せず）とから構成される。
【００２０】
画像記録部２７４は，画像読取部２７３で読み取られた画像データと，操作ユニット２７１から入力された原稿の種類または特殊原稿判定部２７２で判定された原稿の種類と，を入力し，これらを以下に説明する構造を有する画像ファイル２７６に記録するものである。
【００２１】
図２は，画像ファイル２７６の構造を示す説明図である。図２に示すように，画像ファイル２７６は，共通ヘッダー２７７と，画像データ２７８とから構成される。共通ヘッダー２７７の特定フィールド２７９には，操作ユニット２７１から入力された原稿の種類または特殊原稿判定部２７２で判定された原稿の種類が記録される。
【００２２】
特定フィールド２７９に記録される原稿の種類は，一般原稿，紙幣，有価証券，チケット等，著作物および社内機密文書等のユーザが定義した原稿の６種類である。ただし，原稿の種類をこれらに限定するものではない。
【００２３】
上記６種類の原稿のうち，少なくとも著作物と社内機密文書等のユーザが定義した原稿とについてはマニュアル設定となっており，ユーザが操作ユニット２７１で原稿の種類を設定する。なお，図２に示すように，本実施の形態ではこれら２つの原稿をマニュアル設定とするが，他の４種類の原稿についても，操作ユニット２７１から原稿の種類を設定可能にしても良い。ただし，ユーザが一般原稿であるという設定をした場合には，偽造が禁止された原稿の偽造を防止するため，特殊原稿判定部２７２で原稿の種類の判定を行う必要がある。
【００２４】
なお，特殊原稿判定部２７２で原稿の種類を判定する際にマイクロ波を用いることにしたが，マイクロ波に代えて赤外線を用いたり，原稿の磁気レベルを検出することにより，原稿の種類を判定することにしても良い。また，マイクロ波等の電磁波を用いて判定するのではなく，原稿から読み取った画像データを解析して，原稿の種類を判定することにしても良い。例えば，読み取った画像データを解析し，印影等，紙幣に特徴的なパターンが含まれている場合には紙幣と判定することが可能であり，また，マル秘マーク等が含まれている場合には社内機密文書であると判定することが可能である。
【００２５】
次に，本実施の形態の画像読取装置の動作を更に詳細に説明する。図３は，本実施の形態の画像読取装置の動作を示すフローチャートである。
【００２６】
まず，ユーザは，画像読取対象である原稿の種類を操作ユニット２７１から入力する（請求項１記載の第１の工程に該当する）。ただし，原稿の種類を入力するか否かはユーザの選択に委ねられる。本実施の形態の画像読取装置では，著作物と社内機密文書とを設定することが可能な構成となっており，ここでは原稿が著作物であるという設定がなされたものとする。なお，入力された原稿の種類は所定の記憶領域に記憶される。
【００２７】
その後，ユーザから画像の読み取りが指示されると，制御部２７５は，操作ユニット２７１から原稿の種類の入力があったか否かを判定する（Ｓ３０１）。ここでは，原稿が著作物であると設定されているため，制御部２７５はこの設定を確認し，ステップＳ３０３に進む。
【００２８】
画像読取部２７３は，制御部２７５の制御により，原稿から画像データを読み取る（Ｓ３０３：請求項１記載の第３の工程に該当する）。
【００２９】
続いて，画像記録部２７４は，画像読取部２７３で読み取られた画像データと操作ユニット２７１から入力された原稿の種類（著作物）とを画像ファイル２７６に記録して画像読取処理を終了する（Ｓ３０４：請求項１の第４の工程に該当する）。ここでは，原稿が著作物であると設定されているため，図２に示す共通ヘッダー２７７の特定フィールド２７９に著作物であることを示す"３００〜３９９"のいずれかが記録される。なお，操作ユニット２７１で原稿が社内機密文書であると設定された場合には，"１０００〜"が特定フィールド２７９に記録される。
【００３０】
画像ファイル２７６は，例えばフロッピーディスクやハードディスク等に出力され，また，ネットワークを介して他のコンピュータやプリンタ等に出力される。
【００３１】
一方，ユーザが画像読取対象である原稿の種類を操作ユニット２７１から入力せず，画像の読み取りを指示した場合，制御部２７５は，特殊原稿判定部２７２に原稿の種類の判定処理を実行させる（Ｓ３０２：請求項１記載の第２の工程に該当する）。
【００３２】
特殊原稿判定部２７２は，原稿にマイクロ波を照射して走査し，照射したマイクロ波の反射波を検出して，反射波のレベルに応じて紙幣・有価証券等の特殊原稿であるか否かを判定すると共に，原稿が特殊原稿であると判定した場合に，原稿中に金属繊維がいかなる形態ですき込まれているかを検知し，特殊原稿の種類を判定する。そして，判定された原稿の種類は，所定の記憶領域に記憶される。
【００３３】
制御部２７５は，特殊原稿判定部２７２による原稿の種類の判定処理が終了したことを検知し，画像読取部２７３に原稿から画像データの読取処理を実行させる（Ｓ３０３）。
【００３４】
画像記録部２７４は，画像読取部２７３で読み取られた画像データと特殊原稿判定部２７２で判定された原稿の種類とを画像ファイル２７６に記録して画像読取処理を終了する（Ｓ３０４）。例えば，特殊原稿判定部２７２で原稿が紙幣であると判定された場合には，図２に示す共通ヘッダー２７７の特定フィールド２７９に紙幣であることを示す"１〜９９"のいずれかが記録される。また，原稿が一般原稿であると判定された場合には"０"が記録され，有価証券であると判定された場合には"１００〜１９９"が記録され，さらに，チケット等であると判定された場合には"２００〜２９９"が記録される。
【００３５】
次に，本実施の形態の画像出力装置について説明する。図４は，本実施の形態の画像出力装置のブロック構成図である。図４に示す画像出力装置は，画像ファイル２７６を入力する入力部２８３と，画像ファイル２７６中の特定フィールド２７９に基づいて，原稿の種類を判定する特殊原稿判定部２８１と，特殊原稿判定部２８１で判定された原稿の種類に基づいて，予め設定された画像データの出力方法から所定の出力方法を選択し，出力処理を実行する画像出力部２８２と，各種モードの設定およびメッセージの表示を行うための操作ユニット２８４と，上記各部を制御する制御部２８５と，を有している。なお，図４に示す画像出力装置は，例えばプリンタ等を構成する。
【００３６】
以下に，本実施の形態の画像出力装置の動作を説明する。図５は，本実施の形態の画像出力装置の動作を示すフローチャートである。
【００３７】
まず，入力部２８３は，制御部２８５の制御により，画像ファイル２７６をフロッピーディスクやハードディスク等から読み出し，またはネットワークを介して入力し，共通ヘッダー２７７および画像データ２７８を読み取る（Ｓ５０１：請求項１記載の第５の工程に該当する）。
【００３８】
続いて，特殊原稿判定部２８１は，共通ヘッダー２７７の特定フィールド２７９に記録された原稿の種類を示すデータを参照し，データが一般原稿を示す"０"であるか否かを判定する（Ｓ５０２：請求項１記載の第５の工程に該当する）。ステップＳ５０２において，特定フィールド２７９に記録されたデータが"０"でない場合，特殊原稿判定部２８１は，原稿の種類を示す情報を出力する。なお，特殊原稿判定部２８１に，判定した原稿の種類を操作ユニット２８４に表示させることもできる。
【００３９】
画像出力部２８２は，特殊原稿判定部２８１から出力された原稿の種類を示す情報と画像データとを入力し，画像データの出力処理を実行する（Ｓ５０３：請求項１記載の第５および第６の工程に該当する）。
【００４０】
例えば，画像出力部２８２は，予め原稿の種類に応じた出力方法情報が格納されたテーブルを有しており，原稿の種類に応じてこのテーブルを参照し，出力方法を決定する。画像データの出力方法としては，出力の禁止，色相の変更，濃度の変更，色再現範囲の限定，解像度の低下，モザイク処理，所定のマークの付加等がある。
【００４１】
したがって，画像出力部２８２は，紙幣や，有価証券，著作物の偽造を防止するため，画像データの出力を禁止したり，また，出力する画像の色を変更したり，「コピー」というマークを付加して出力したりして，所定の記録紙に印刷を行い，出力処理を終了する。なお，画像出力部２８２が画像データの出力の禁止を選択した場合には，その旨を操作ユニット２８４に表示させることもできる。
【００４２】
一方，ステップＳ５０２において，特定フィールド２７９に記録されたデータが一般原稿を示す"０"である場合，特殊原稿判定部２８１は，原稿が一般原稿であることを示す情報を出力する。
【００４３】
画像出力部２８２は，特殊原稿判定部２８１から出力された原稿が一般原稿であることを示す情報と画像データとを入力し，通常の画像出力処理を行って，所定の記録紙に画像データを記録し，画像出力処理を終了する（Ｓ５０４）。
【００４４】
このように，本実施の形態の画像読取装置および画像出力装置によって実行される偽造防止方法によれば，画像読取装置が原稿の種類を画像ファイルに記録し，画像出力装置が画像ファイルに記録された原稿の種類に基づく画像出力処理を実行するため，著作物や社内機密文書等の偽造を有効に防止することができる。例えば，著作物や社内機密文書等をディジタルデータで配布するような場合において，その著作物が無断で複製されて配布されるということを防止することができる。
【００４５】
また，画像読取装置が原稿の種類を画像ファイルに記録し，画像出力装置が画像ファイルに記録された原稿の種類に基づく画像出力処理を実行するため，画像読取処理と画像出力処理とを別々の装置を用いて行う場合や画像読取処理と画像出力処理とを同時に行わない場合であっても，紙幣，有価証券等の偽造が禁止された原稿の偽造を防止することができる。
【００４６】
なお，上述した本実施の形態においては，画像読取装置と画像出力装置とが，別々の装置であることを前提にして説明したが，別々の装置ではなく，画像読取処理と画像出力処理との両者を実行可能な装置であっても良い。
【００４７】
以上説明した偽造防止方法をコンピュータが実行可能なようにプログラム化し，これをフロッピーディスク，ハードディスク，ＣＤ−ＲＯＭ，ＤＶＤ等のコンピュータが読取可能な記憶媒体に記憶することができる。
【００４８】
【発明の効果】
以上説明したように，本発明の偽造防止方法（請求項１）によれば，原稿の種類を入力する第１の工程と，第１の工程で原稿の種類の入力がない場合に，原稿の種類を判定する第２の工程と，原稿から画像データを読み取る第３の工程と，原稿の種類と画像データとを画像ファイルに記録する第４の工程と，画像ファイルを入力し，画像ファイルに記録された原稿の種類に基づいて，予め設定された原稿の種類に応じた複数の画像データの出力方法から所定の出力方法を選択する第５の工程と，第５の工程で選択された出力方法に基づいて，画像データの出力処理を実行する第６の工程と，を含むため，著作物や社内機密文書等の偽造を有効に防止することができると共に，画像読取処理と画像出力処理とを別々の装置を用いて行う場合や画像読取処理と画像出力処理とを同時に行わない場合であっても，紙幣，有価証券等の偽造が禁止された原稿の偽造を防止することができる。すなわち，偽造が禁止された原稿の画像データを記録した画像ファイルを，例えばフロッピーディスク等に記録して交換し，またネットワークを介して交換し，記録された画像データを所定の記録紙に印刷して偽造を行うということを防止することができる。
【００４９】
また，本発明の偽造防止方法（請求項２）によれば，請求項１記載の偽造防止方法において，第４の工程が，原稿の種類と画像データとを画像ファイルに記録する際に，画像ファイルを構成する共通ヘッダの予め定めたフィールドに原稿の種類を記録するため，画像データを出力する際に，容易に原稿の種類を判定することができ，かつ，偽造が禁止された原稿の画像データを記録した画像ファイルを，例えばフロッピーディスク等に記録して交換し，またネットワークを介して交換し，記録された画像データを所定の記録紙に印刷して偽造を行うということを防止することができる。
【００５０】
また，本発明の偽造防止方法（請求項３）によれば，請求項１または２に記載の偽造防止方法において，第４の工程で画像ファイルに記録される原稿の種類が，一般原稿，紙幣，有価証券，機密文書または著作物であるため，偽造が禁止された原稿の画像データを記録した画像ファイルを，例えばフロッピーディスク等に記録して交換し，またネットワークを介して交換し，記録された画像データを所定の記録紙に印刷して偽造を行うということを防止することができる。
【００５１】
また，本発明の偽造防止方法（請求項４）によれば，請求項１記載の偽造防止方法において，第５の工程で選択される画像データの出力方法が，出力の禁止，色相の変更，濃度の変更，色再現範囲の限定，解像度の低下，モザイク処理または所定のマークの付加であるため，偽造が禁止された原稿の偽造を防止することができる。
【００５２】
また，コンピュータが読取可能な記憶媒体（請求項５）によれば，請求項１〜４のいずれか一つに記載された方法をコンピュータに実行させるプログラムを格納したため，このプログラムをコンピュータに実行させて，著作物や社内機密文書等の偽造を有効に防止することができると共に，画像読取処理と画像出力処理とを別々の装置を用いて行う場合や画像読取処理と画像出力処理とを同時に行わない場合であっても，紙幣，有価証券等の偽造が禁止された原稿の偽造を防止することができる。すなわち，偽造が禁止された原稿の画像データを記録した画像ファイルを，例えばフロッピーディスク等に記録して交換し，またネットワークを介して交換し，記録された画像データを所定の記録紙に印刷して偽造を行うということを防止することができる。
【００５３】
さらに，本発明の偽造防止システム（請求項６）によれば，前記画像読取装置は，前記原稿の種類を入力する操作手段と，前記操作手段により前記原稿の種類の入力がない場合に，前記原稿の種類を判定する判定手段と，前記原稿から画像データを読み取る画像読取手段と，前記判定手段で判定された前記原稿の種類と，前記画像読取手段で読み取られた前記画像データとを前記画像ファイルに記録する記録手段と，を備え，前記画像出力装置は，前記画像ファイルを入力する入力手段と，前記入力手段により入力された前記画像ファイルに記録された前記原稿の種類に基づいて，予め設定された原稿の種類に応じた複数の画像データの出力方法から所定の出力方法を選択し，選択された出力方法に基づいて，前記画像データの出力処理を実行する出力手段と，を備えたことで，著作物や社内機密文書等の偽造を有効に防止することができると共に，画像読取処理と画像出力処理とを別々の装置を用いて行う場合や画像読取処理と画像出力処理とを同時に行わない場合であっても，紙幣，有価証券等の偽造が禁止された原稿の偽造を防止することができる。すなわち，偽造が禁止された原稿の画像データを記録した画像ファイルを，例えばフロッピーディスク等に記録して交換し，またネットワークを介して交換し，記録された画像データを所定の記録紙に印刷して偽造を行うということを防止することができる。
【図面の簡単な説明】
【図１】  本実施の形態の画像読取装置のブロック構成図である。
【図２】  本実施の形態の画像読取装置における画像ファイルの構造を示す説明図である。
【図３】  本実施の形態の画像読取装置の動作を示すフローチャートである。
【図４】  本実施の形態の画像出力装置のブロック構成図である
【図５】  本実施の形態の画像出力装置の動作を示すフローチャートである。
【符号の説明】
２７１，２８４      操作ユニット
２７２，２８１      特殊原稿判定部
２７３      画像読取部
２７４      画像記録部
２７５，２８５      制御部
２７６      画像ファイル
２７７      共通ヘッダー
２７８      画像データ
２７９      特定フィールド
２８２      画像出力部
２８３      入力部
【図１】
0003761264.tif 000002
【図２】
0003761264.tif 000003
【図３】
0003761264.tif 000004
【図４】
0003761264.tif 000005
【図５】
0003761264.tif 000006